(57)【要約】【課題】災害時やアウトドアライフなどにおいて、簡単に組み立てて使用でき、且つ子供でも使用し易い簡易トイレを提供する。【解決手段】上部１２ａ及び下部１２ｂが開口した胴部１２と、該胴部１２の下部１２ｂに設けられる底板１３と、前記胴部１２の上部１２ａに設けられる便座部材１４と、前記胴部１２内に配置される排泄物収納用の袋１７とからなる組立式の簡易トイレ１１であって、前記便座部材１４は、前記胴部１２の上部１２ａに組み付ける第１便座部２７と、該第１便座部２７の一端部にヒンジ部２８を介して折曲げ自在に連設した第２便座部３０と、前記第１便座部２７の他端部にヒンジ部３１を介して折曲げ自在に連設した蓋部３２とを有すると共に、小さめな中央孔３３が形成された子供用便座３４をセット自在に備えた。【選択図】      図５
0003135809.tif 000002
【実用新案登録請求の範囲】
【請求項１】
上部及び下部が開口した胴部と、該胴部の下部に設けられる底板と、前記胴部の上部に設けられる便座部材と、前記胴部内に配置される排泄物収納用の袋とからなる組立式の簡易トイレであって、
前記便座部材は、前記胴部の上部に組み付ける第１便座部と、該第１便座部の一端部にヒンジ部を介して折曲げ自在に連設した第２便座部と、前記第１便座部の他端部にヒンジ部を介して折曲げ自在に連設した蓋部とを有すると共に、小さめな中央孔が形成された子供用便座をセット自在に備えたこと
を特徴とする簡易トイレ。
【請求項２】
前記胴部の上部には、前記蓋部が開成時に当接する支持部材を設けたことを特徴とする請求項１に記載の簡易トイレ。
【請求項３】
前記支持部材には、棒状のトイレットペーパーホルダーを設けたことを特徴とする請求項２に記載の簡易トイレ。
【請求項４】
前記胴部、底板、便座部材、支持部材及びトイレットペーパーホルダーは、樹脂を含浸させた段ボールで形成されていることを特徴とする請求項１、２又は３に記載の簡易トイレ。
【考案の詳細な説明】
【技術分野】
【０００１】
本考案は、簡易トイレの改良に関するものであり、更に詳しくは、震災などの災害時やアウトドアライフなどにおいて、簡単に組み立てて使用できる簡易トイレに関するものである。
【背景技術】
【０００２】
従来の簡易トイレとしては、図１２に示す構成のものが知られている。この簡易トイレ１は底部２と、この底部２に立設する中空の胴部３と、この胴部３の上に設けられる便座部４とが段ボールで形成されており、便座部４の開口部５から胴部３の内部に汚物収納用の袋６が設けられる構成である（特許文献１参照）。
【０００３】
このような構成の簡易トイレ１は、袋６の端部が折り返されて便座部４の上部を覆った状態にして使用し、この袋６を適宜に新しいものと交換するのである。
【特許文献１】実用新案登録第３１１３２７０号公報
【考案の開示】
【考案が解決しようとする課題】
【０００４】
この従来例の簡易トイレにおいては、一般的には、便座部４の形状を大人が使用するサイズに合わせてあるので、子供の場合は臀部が小さいために使用しにくいという欠点がある。
【０００５】
また、トイレットペーパーのホルダーについては全く考慮されていない。つまり、ホルダーは、別途に適宜な場所に取り付けるか、あるいは、ホルダーの取り付けが不可能な場合には、トイレットペーパーを床に置いたり、手に持ってトイレを使用することとなるので、誠に不便である。
【０００６】
従って、従来例における簡易トイレにおいては、便座部４の形状を大人だけでなく、子供でも使用し易いように考慮することと、トイレットペーパーのホルダーについても考慮することとに解決しなければならない課題を有している。
【課題を解決するための手段】
【０００７】
前記従来例の課題を解決する具体的手段として本考案は、上部及び下部が開口した胴部と、該胴部の下部に設けられる底板と、前記胴部の上部に設けられる便座部材と、前記胴部内に配置される排泄物収納用の袋とからなる組立式の簡易トイレであって、前記便座部材は、前記胴部の上部に組み付ける第１便座部と、該第１便座部の一端部にヒンジ部を介して折曲げ自在に連設した第２便座部と、前記第１便座部の他端部にヒンジ部を介して折曲げ自在に連設した蓋部とを有すると共に、小さめな中央孔が形成された子供用便座をセット自在に備えたことを特徴とする簡易トイレを提供するものである。
【０００８】
また、前記胴部の上部には、前記蓋部が開成時に当接する支持部材を設けた構成としたものであり、そして、前記支持部材には、棒状のトイレットペーパーホルダーを設けた構成としたものであり、更に、前記胴部、底板、便座部材、支持部材及びトイレットペーパーホルダーは、樹脂を含浸させた段ボールで形成されている構成としたものである。
【考案の効果】
【０００９】
本考案に係る簡易トイレは、上部及び下部が開口した胴部と、該胴部の下部に設けられる底板と、前記胴部の上部に設けられる便座部材と、前記胴部内に配置される排泄物収納用の袋とからなる組立式の簡易トイレであって、前記便座部材は、前記胴部の上部に組み付ける第１便座部と、該第１便座部の一端部にヒンジ部を介して折曲げ自在に連設した第２便座部と、前記第１便座部の他端部にヒンジ部を介して折曲げ自在に連設した蓋部とを有すると共に、小さめな中央孔が形成された子供用便座をセット自在に備えたことによって、この子供用便座を第２便座部の上にセットすれば、臀部が小さい子供でも中央孔にフィットするので、簡易トイレを使用し易いこととなるという優れた効果を奏する。
【００１０】
また、胴部の上部には、前記蓋部が開成時に当接する支持部材を設けたことによって、蓋部を開いたときに、所定角度で開成状態が維持されて、パタンと下方に垂れ下がらないので便利であるという優れた効果を奏する。
【００１１】
そして、支持部材には、棒状のトイレットペーパーホルダーを設けたことによって、簡易トイレの近傍にトイレットペーパーをセットできるので、使用に際して便利であるという優れた効果を奏する。
【００１２】
更に、胴部、底板、便座部材、支持部材及びトイレットペーパーホルダーは、樹脂を含浸させた段ボールで形成されていることによって、段ボールは紙製材料なので製造コストを低く抑えることができると共に、樹脂を含浸させることにより高い強度が維持できる。また、廃棄時においては焼却処分が容易であり、有害成分が発生しないという種々の優れた効果を奏する。
【考案を実施するための最良の形態】
【００１３】
次に、本考案の実施の形態について図面を参照しながら説明する。まず、図１から図５において、符号１１は簡易トイレを示し、この簡易トイレ１１は、上部１２ａ及び下部１２ｂが開口した箱形の胴部１２と、この胴部１２の下部１２ｂに設けられる底板１３と、胴部１２の上部１２ａに設けられる便座部材１４と、胴部１２の上部１２ａに組み付ける支持部材１５と、この支持部材１５に取り付けるトイレットペーパーホルダー１６と、胴部１２内に配置される排泄物収納用の袋１７とから構成され、これらの部材を組み立てて簡易トイレ１１が形成される。
【００１４】
胴部１２は、図５に示すように、長板を平面視で略六角形状に折り曲げて両端部を接着して箱形にして形成したものである。
【００１５】
なお、胴部１２の形状は、必ずしも平面視が略六角形状の箱形に限定されることはなく、平面視が多角形状の箱形や、筒形等であってもよいことは勿論である（図示せず）。要するに人が着座した時の強度が担保できる形状であればよいのである。
【００１６】
胴部１２の両方の側部１８、１８において、下部側には長孔１９が形成されている。この長孔１９は、後述する底板１３の係止片２４を挿入して係止させる部位である。
また、側部１８、１８の上部側にはコ字状の切欠部２０が形成されており、この切欠部２０は、後述する第１便座部２７の挿入片３８を挿入するための部位である。
更に、胴部１２の上部１２ａには、２条の長溝２１が形成されており、この長溝２１は、後述する支持部材１５の長溝１５ｄを挿入して組み付けるための部位である。
【００１７】
底板１３は、図６に示すように、胴部１２の略六角形状に対応させて同形状に形成されており、短辺の両端部は折り目２２を介して折曲部２３を有している。また、両方の側部の略中央位置には、係止片２４が形成されている。この係止片２４は、上述のように胴部１２の長孔１９に挿入して係止させる部位である。更に、底板１３の略中央部には、丸孔２５が形成されている。
【００１８】
便座部材１４は、図７に示すように、中央孔２６を有する第１便座部２７と、この第１便座部２７の一端部にヒンジ部２８を介して折曲げ自在に連設され且つ中央孔２９を有する第２便座部３０と、第１便座部２７の他端部にヒンジ部３１を介して折曲げ自在に連設された蓋部３２とを有すると共に、小さめな中央孔３３を有する子供用便座３４を別体としてセット自在に備えている。
【００１９】
また、第１便座部２７の裏面は、図８（イ）（ロ）（ハ）に示すように、胴部１２の略六角形状に対応した形に開口した板材３５が貼着されている。この板材３５には、折れ目３６、３６を介して一対の立上壁３７、３７が形成されており、この立上壁３７は矢印Ｂ方向に折り曲げて立ち上がらせることができるようになっている。また、立上壁３７の端部には、挿入片３８が形成されており、この挿入片３８は、上述のように胴部１２の切欠部２０に挿入するための部位である。
【００２０】
立ち上がらせた両方の立上壁部３７、３７は、図８（ハ）に示すように、それぞれ内側に（矢印Ｃ方向に）付勢された状態になっており、両方の立上壁部３７、３７で、胴部１２の上部１２ａを両側から挟持した状態で保持できるようになっている。更に、挿入片３８を胴部１２の切欠部２０に挿入することによって、第１便座部２７を胴部１２の上部１２ａにしっかりと組み付けることができる。
【００２１】
子供用便座３４の裏面は、図９に示すように、中央孔３３の内周縁に沿って、所定幅で所定厚みの位置決め用縁部３４ａが貼着されている。そして、この位置決め用縁部３４ａの外周縁３４ｂが第２便座部３０の中央孔２９の内周縁２９ａにほぼ嵌るように形成されている。従って、この子供用便座３４を、第２便座部３０の上にセットして使用する際には、位置決め用縁部３４ａの存在により位置ズレが生じないのである。
【００２２】
支持部材１５は、図１０に示すように、長方形状の中央板１５ａと、この中央板１５ａの両端部に折り目１５ｂを介して設けられる側板１５ｃ、１５ｃとを有し、それぞれの側板１５ｃの先端部には、長溝１５ｄが形成されている。この長溝１５ｄは、前述のように胴部１２の長溝２１に挿入して組み付けるための部位である。また、両方の側板１５ｃの折り目１５ｂに隣接した位置には、それぞれ長方形状の窓孔１５ｅ、１５ｅが形成されている。
【００２３】
このような構成の支持部材１５は、図４に示すにように、蓋部３２が開成したときに傾いた状態で当接して、所定角度で開成状態を維持するので、蓋部３２がパタンと下方に垂れ下がらない。
【００２４】
トイレットペーパーホルダー１６は、図１１に示すように、棒状に形成されており、一端部に突出したストッパー部１６ａが設けられている。このトイレットペーパーホルダー１６は、支持部材１５の窓孔１５ｅ、１５ｅに架け渡した状態に挿通させて取り付ける。このように取り付けられたトイレットペーパーホルダー１６は、トイレットペーパーの筒を通して適宜に保持することができる。
【００２５】
袋１７は、保水性の高いビニール等で形成されている。また、袋１７は、胴部１２内に配置できると共に、端部１７ａを便座部材１４の外側に位置できる所要の大きさに形成されている。更に、袋１７の端部１７ａには、廃棄時に縮径して縛れるように紐３９が設けられている。
【００２６】
次に、以上のような構成の胴部１２と底板１３と便座部材１４と支持部材１５とトイレットペーパーホルダー１６とを用いて、簡易トイレ１１を組み立てる手順について説明する。まず、底板１３の両端の折曲部２３を折り目２２に沿って折り曲げてから、底板１３を胴部１２の下部１２ｂに宛って上方に押し込むと共に、係止片２４を長孔１９に挿入して係止させる。このとき、丸孔２５に指を挿入するとスムーズに作業がおこなえる。
【００２７】
更に、第１便座部２７の立上壁３７、３７を折れ目３６、３６に沿って立ち上がらせてから、胴部１２の上部１２ａを両側から挟持させる。更に、挿入片３８を側部１８の外側から内側に向かって切欠部２０に挿入することによって、第１便座部２７を胴部１２の上部１２ａにしっかりと組み付けることができる。
【００２８】
次に、袋１７を胴部１２内に配置してから、端部１７ａを、第１便座部２７の上部を覆う状態に折り返して、その上に第２便座部３０をセットする（図１参照）。この場合は、使用者が第２便座部３０に着座することとなり、臀部が袋１７に直接触れない。
【００２９】
一方、袋１７の端部１７ａを第２便座部３０の上部を覆う状態に折り返して使用することも可能である（図２参照）。この場合は、第２便座部３０が汚物等で汚れない。
【００３０】
要するに、使用時の状況に応じて、袋１７の端部１７ａを第１便座部２７を覆うように折り返して使用することができるし、また、第２便座部３０を覆うように折り返して使用することもできるのである。
【００３１】
なお、胴部１２、底板１３、便座部材１４、支持部材１５及びトイレットペーパーホルダー１６は、合成樹脂板、金属板、木製板あるいは厚紙等の適宜な板材で形成することができるが、特に、樹脂を含浸させた段ボールで形成することが望ましい。この場合、段ボール紙は製材料なので製造コストを比較的低く抑えることができると共に、樹脂を含浸させることにより高い強度が維持できる。また、廃棄時においては焼却処分が容易であり、有害成分が発生しない。
【図面の簡単な説明】
【００３２】
【図１】本考案に係る簡易トイレ１１の斜視図である。
【図２】本考案に係る簡易トイレ１１の斜視図である。
【図３】本考案に係る簡易トイレ１１の斜視図である。
【図４】本考案に係る簡易トイレ１１の側面図である。
【図５】本考案に係る簡易トイレ１１を、胴部１２、底板１３、便座部材１４、支持部材１５、トイレットペーパーホルダー１６及び袋１７に分離して示した斜視図である。
【図６】底板１３を展開した状態の平面図である。
【図７】便座部材１４を展開した状態の平面図である。
【図８】（イ）は、第１便座部２７の裏面を示す平面図である。（ロ）は、（イ）のＡ−Ａ線断面図である。（ハ）は、（ロ）の立上壁部３７、３７を立ち上がらせた状態を示す断面図である。
【図９】子供用便座３４の裏面を示す平面図である。
【図１０】支持部材１５を展開した状態の平面図である。
【図１１】トイレットペーパーホルダー１６の平面図である。
【図１２】従来例に係る簡易トイレ１の斜視図である。
【符号の説明】
【００３３】
１    簡易トイレ
２    底部
３    胴部
４    便座部
５    開口部
６    袋
１１  簡易トイレ
１２  胴部
１２ａ上部
１２ｂ下部
１３  底板
１４  便座部材
１５  支持部材
１５ａ中央板
１５ｂ折り目
１５ｃ側板
１５ｄ長溝
１５ｅ窓孔
１６  トイレットペーパーホルダー
１６ａストッパー部
１７  袋
１７ａ端部
１８  側部
１９  長孔
２０  切欠部
２１  長溝
２２  折り目
２３  折曲部
２４  係止片
２５  丸孔
２６  中央孔
２７  第１便座部
２８  ヒンジ部
２９  中央孔
２９ａ内周縁
３０  第２便座部
３１  ヒンジ部
３２  蓋部
３３  中央孔
３４  子供用便座
３４ａ位置決め用縁部
３４ｂ外周縁
３５  板材
３６  折れ目
３７  立上壁
３８  挿入片
３９  紐
【図１】
0003135809.tif 000003
【図２】
0003135809.tif 000004
【図３】
0003135809.tif 000005
【図４】
0003135809.tif 000006
【図５】
0003135809.tif 000007
【図６】
0003135809.tif 000008
【図７】
0003135809.tif 000009
【図８】
0003135809.tif 000010
【図９】
0003135809.tif 000011
【図１０】
0003135809.tif 000012
【図１１】
0003135809.tif 000013
【図１２】
0003135809.tif 000014